(57)【要約】【課題】表示部の表示領域を大きくし商品に関する種々の情報を書き換え可能に表示できるとともに、商品見本と商品に関する情報の関係を正確かつ容易に把握可能にする。【解決手段】複数の商品見本５０にそれぞれ対応して設けられ、複数の商品見本５０にそれぞれ対応する商品に関する商品情報を表示する複数の電子ペーパ６０と、電子ペーパ６０を保持するホルダ５５とを有し、電子ペーパ６０の背面以外の箇所に制御基板５７を配置する。例えば、商品見本５０を載置する上側ケース５４と、上側ケース５４を下方から覆う下側ケース５８とを有し、制御基板５７を上側ケース５４の上面下方に略水平に配置し、電子ペーパ６０を制御基板５７に対して略垂直に配置する。【選択図】図６
2014228886.tif 000002
【特許請求の範囲】
【請求項１】
複数の商品見本にぞれぞれ対応する商品選択ボタンの操作に応じて選択された前記商品見本に対応する商品を販売する自動販売機の表示装置において、
前記複数の商品見本にそれぞれ対応して設けられ、前記複数の商品見本にそれぞれ対応する商品に関する商品情報を表示する複数の電子ペーパと、前記複数の電子ペーパを保持するホルダと、
前記電子ペーパの後方に該複数の電子ペーパに対して略水平に配置され、前記電子ペーパを駆動制御する制御基板と、
前記制御基板に実装され、前記商品見本に光を照射するＬＥＤ光源と、
前記電子ペーパと前記ホルダと前記制御基板と前記ＬＥＤ光源とを一体に収容するケースとを
を具備することを特徴とする自動販売機の表示装置。
【請求項２】
前記制御基板は、前記表示装置の後方の左右両側方に
ハーネスを接続するコネクタをそれぞれ配設し、
前記ケースの後方から引き出された前記ハーネスによって、複数の前記表示装置同士を接続する
ことを特徴とする請求項１記載の自動販売機の表示装置。
【請求項３】
前記ホルダは、
前記電子ペーパの前記商品見本の配列方向の両端部にそれぞれ設けられた突出片をそれぞれ嵌合する嵌合孔を有し、前記電子ペーパの前記突出片を嵌合孔に嵌合することにより、前記電子ペーパをスライド自在に保持する
ことを特徴とする請求項１記載の自動販売機の表示装置。
【発明の詳細な説明】
【技術分野】
【０００１】
本発明は、自動販売機の外扉に設けられた複数の商品見本を展示する商品見本展示部内に配置され、複数の商品見本に対応する商品の情報をデジタル表示する表示装置に関する。
【背景技術】
【０００２】
缶入り飲料、瓶入り飲料、ペットボトル飲料などの商品を販売する自動販売機は、断熱筐体としてなる本体筐体の庫内に前記商品をコールド、ホット状態に区分して保存し、外扉の商品見本展示部に設置されたディスプレイ台上に複数の商品見本を左右に並べて展示し、前記商品見本に対応して設けられた商品選択ボタンの操作によって選択された商品を販売するように構成されている。
【０００３】
この種の自動販売機に関し、下記特許文献１には、商品選択ボタンユニットと組み合わせて透明板の背後に各商品見本の商品価格、ホット・コールド状態を表示する商品情報表示体が設けられた構成が開示されている。
【０００４】
また、この種の従来装置の中には、商品情報表示体を外扉に設けるタイプ（特許文献１参照）以外に、本体筐体側に設置されたディスプレイ台上に設ける構成も知られている。図１１は、この種の従来の自動販売機のディスプレイ台の構成を示す斜視図である。図１２は、図１１に示すディスプレイ台の側面の構成を示す図である。図１１、図１２において、本体筐体内の中扉（外扉の内側）４の前面にはディスプレイ台８０が取り付けられる。ディスプレイ台８０の内部にその長手方向に沿って蛍光灯が着脱可能に取り付けられている。ディスプレイ台８０の側面には、扉部８０１が設けられ、該扉部８０１を開けることより、ディスプレイ台８０内に取り付けられている蛍光灯のメンテナンス作業を行うことができる。
【０００５】
ディスプレイ台８０の上面には複数の商品見本５０にそれぞれ対応して円形の開口部８０３が設けられる。上述した蛍光灯は、図示しない駆動回路によって発光され、該発光時の光が開口部８０３を通って商品見本５０を内部から照射し該商品見本５０を明るくする。
【０００６】
また、ディスプレイ台８０の前面には、商品見本５０にそれぞれ対応する商品情報表示体８０５が設けられる。また、この自動販売機の外扉（図示せず）には、正面から上記商品情報表示体８０５の視認を妨げない位置に、上記商品見本５０にそれぞれ対応する商品選択ボタン７が設けられている。
【０００７】
このように、本体筐体内の商品見本展示部に商品情報表示体を設けた構成は下記特許文献２にも開示されている。この種の従来装置では、商品情報表示体はシート（シール）等により表示されるのが一般的であった。
【０００８】
また、この種の従来装置の中には、商品情報表示体として、７セグメント型数次式表示器や液晶ディスプレイなどからなる表示装置を用い、販売価格の変更を容易にした発明（下記特許文献３参照）も知られている。
【０００９】
なお、この種の自動販売機では、商品の購買意欲を喚起する等のために、商品見本を光で照らして明るくすることも行われている。例えば、特許文献１記載の装置では、中扉に設けられるディスプレイ台上に載置した商品見本に対して下部から蛍光灯の光を入射させ、内部から照明させることにより発光体のように明るく展示している。この他、上記光源として、ＬＥＤ（発光ダイオード）を用いるもの等も知られている。
【００１０】
ここで、商品見本を照らす光源を蛍光灯からＬＥＤに変えた場合には、その分、市場における照明の交換のメンテナンスが不要となり、ランニングコストも削減できる。
【先行技術文献】
【特許文献】
【００１１】
【特許文献１】特開２０１２−１１３３４０号公報
【特許文献２】特開２００８−１２９９１８号公報
【特許文献３】特開２０１０−０２６５６６号公報
【発明の概要】
【発明が解決しようとする課題】
【００１２】
従来の表示装置の表示部（表示画面）を大きくして、価格情報の他、商品の温冷パターンも表示するように出来れば、商品価格が変更された際の価格表示の変更ばかりではなく、温度表示の変更も容易になり、メンテンス性も向上する。
しかしながら、従来の表示装置に搭載される液晶の表示画面は２〜３ｍｍの厚さがあるうえに、その後ろには電子部品や通信ハーネスや電源ハーネスを接続するコネクタを搭載する基板が配置されていることにより、表示装置全体の厚さが増すことになる。  
また、自動販売機の扉の解放時、雨水が表示装置内に浸入しない構造とする必要があり、表示装置が更に厚くなる。
【００１３】
上述した厚みを有する表示装置に対して価格情報のほか商品の温冷パターンも表示するように表示部を大きくした表示装置を商品見本に対応して設けようとした場合、該表示装置の後ろに配置された照明用光源が商品見本を照らす光を遮らないように留意する必要がある。そのためには、例えば、表示装置を商品見本よりも前に配置しなければならず、表示装置を配置するスペースの確保が困難となる。  
ここで、例えば、図１２に示すように、表示装置（点線枠で示す）を商品情報表示体（シール）８０５に代えてディスプレイ台８０の前面に設置する方法がある。しかしながら、たとえこのようにして表示装置の設置スペースを確保できたとしても（図１２参照）、表示装置８０７の表示部が商品見本５０から離れることになり、表示部における商品温度や価格の表示内容と対応する商品見本との関係が分かり辛くならざるを得ない。
【００１４】
本発明は、上記した課題を解決するためになされたものであり、表示部の表示領域を大きくし商品に関する種々の情報を書き換え可能に表示できるとともに、表示部と商品見本の距離を近くすることにより商品見本と商品に関する情報の関係を正確かつ容易に把握できる自動販売機の表示装置を提供することを目的とする。
【課題を解決するための手段】
【００１５】
上記した課題を解決するために、本発明は、
複数の商品見本にぞれぞれ対応する商品選択ボタンの操作に応じて選択された前記商品見本に対応する商品を販売する自動販売機の表示装置において、前記複数の商品見本にそれぞれ対応して設けられ、前記複数の商品見本にそれぞれ対応する商品に関する商品情報を表示する複数の電子ペーパと、前記複数の電子ペーパを保持するホルダと、前記電子ペーパの後方に該複数の電子ペーパに対して略水平に配置され、前記電子ペーパを駆動制御する制御基板と、前記制御基板に実装され、前記商品見本に光を照射するＬＥＤ光源と、前記電子ペーパと前記ホルダと前記制御基板と前記ＬＥＤ光源とを一体に収容するケースとを具備することを特徴とする。
【００１６】
また、上記本発明において、前記制御基板は、前記表示装置の後方の左右両側方にハーネスを接続するコネクタをそれぞれ配設し、前記ケースの後方から引き出された前記ハーネスによって複数の前記表示装置同士を接続することを特徴とする。  
【００１７】
また、上記本発明において、前記ホルダは、前記電子ペーパの前記商品見本の配列方向の両端部にそれぞれ設けられた突出片をそれぞれ嵌合する嵌合孔を有し、前記電子ペーパの前記突出片を嵌合孔に嵌合することにより、前記電子ペーパをスライド自在に保持することを特徴とする。
【発明の効果】
【００１８】
本発明によれば、表示部を電子ペーパとし、その制御基板を後方へ水平に配置するとともに制御基板に商品見本に光を照射するＬＥＤ光源を配置することで表示部の厚さ（奥行き方向の幅）を薄くしたので、表示部と商品見本の距離を近づけても、ＬＥＤ光源が商品見本を照射する光を表示装置自体が遮らない構成となる。よって表示部の表示領域を大きくし商品に関する種々の情報を書き換え可能に表示できるとともに、表示部と商品見本の距離を近くすることにより商品見本と商品に関する情報の関係を正確かつ容易に把握できる自動販売機の表示装置を提供することが可能となる。
【図面の簡単な説明】
【００１９】
【図１】本発明の一実施形態に係る表示装置を搭載した自動販売機の外観構成を示す正面図である。
【図２】図１に示す自動販売機の商品見本展示部の一部を示す斜視図である。
【図３】本発明の一実施形態に係る表示装置の配列を示す斜視図である。
【図４】本発明の一実施形態に係る表示装置の分解斜視図である。
【図５】本発明の一実施形態に係る表示装置の別の角度から見た分解斜視図である。
【図６】本発明の一実施形態に係る表示装置のＡ−Ａ線による断面図である。
【図７】本発明の一実施形態の変形例に係る表示装置の断面図である。
【図８】図４に示すホルダの外観構成を示す正面図である。
【図９】図８に示す電子ペーパとホルダの詳細構成を示す拡大図である。
【図１０】図８に示すホルダの熱収縮及び熱膨張時の電子ペーパ保持態様を示す図である。
【図１１】従来の自動販売機の商品見本展示部の構成を示す斜視図である。
【図１２】図１１に示す商品見本展示部の側面の構成を示す図である。
【発明を実施するための形態】
【００２０】
以下、図面を参照して、本発明を実施するための形態（以下、本実施形態という）について詳細に説明する。なお、本実施形態の説明の全体を通して同じ要素には同じ番号を付している。
【００２１】
（一実施形態の構成）
図１は、本発明の一実施形態に係る表示装置５３を搭載した自動販売機１０の外観構成を示す正面図である。図１に示すように、自動販売機１０は、本体筐体１の前面を外扉２で覆う構造を有している。外扉２は、図示しない錠を鍵によって開錠することにより本体筐体１に対して開閉することができる。外扉２の上部は透明パネル３で構成され、本体筐体１の内部に設けられる複数の商品見本５０と、該各商品見本５０にそれぞれ対応する表示部として用いられる電子ペーパ６０とを見通せるようになっている。透明パネル３の前面には、外扉１から突出し、商品見本５０に対応する商品選択ボタン７が設けられる。
外扉１は、透明パネル３の下方に、カード挿入／返却部２１、紙幣挿入口２２、釣り銭返却レバー２３、硬貨投入口２４、釣り銭返却口２５、及び商品払出口２６が設けられている。
【００２２】
この自動販売機１０は、例えば、紙幣挿入口２２に所定金額の紙幣を挿入し、所望の商品に対応する商品見本５０に対応する商品選択ボタン７の押下操作に応じて選択された商品見本５０に対応する商品を商品払出口２６から払い出すことにより商品の販売を行うものである。
【００２３】
自動販売機１０は、販売する商品として、例えば、缶入り飲料、瓶入り飲料、ペットボトル飲料等を本体筐体１の庫内に格納している。また、自動販売機１０は、庫内に商品をホット状態、コールド状態に区分して保存し、商品選択ボタン７の押下操作におうじて、ホット状態、あるいはコールド状態の商品を販売することもできる。
【００２４】
自動販売機１０の商品見本５０を展示する商品見本展示部５は、自動販売機１０の外扉２と中扉４の間に設けられており、外扉２を開けることで、透明パネル３の裏側と本体筐体１の内部の中扉４の前面との間にある商品見本展示部５にアクセスすることができる。
図２は、図１に示す自動販売機１０の商品見本展示部５の一部を示す斜視図である。図２に示すように、商品見本展示部５は、商品見本載置板５３１と商品見本５０が配置されている。また商品見本載置板５３１の下方に本発明の一実施形態に係る表示装置５３が配置されている。
【００２５】
実際の自動販売機１０の商品見本展示部５は、例えば、図３に示す配列構造からも分かるように、多数の表示装置５３（この例では、表示装置５３−１、５３−２のみを示す）を連結し、図１に示すような複数の商品見本５０を左右方向に、かつ多段に配列して展示可能に構成されている。
【００２６】
図２に示すように、基本構成単位である１個の表示装置５３は、商品見本載置板５３１に取り付けられる。
また、図２、図３に示すように、表示装置５３の前面（商品見本５０の前面下方の面）には４個の商品見本５０にそれぞれ対応して設けられ、各商品見本５０にそれぞれ対応する商品に関する商品情報を表示する電子ペーパ６０が設けられている。
尚、商品見本載置板５３１は、本発明の一実施形態に係る表示装置５３を取り付ける図示しない係止部が設けられており、表示装置５３は係止部に対してネジによって締結して取り付けられる。また、自動販売機１０において、表示装置５３以外の構成は従来の自動販売機と同じである。
【００２７】
電子ペーパ６０は、電気泳動表示素子が用いられるものであって、透明フィルム、液晶層、透明電極等を積層して構成される電子的な表示媒体である。表示中に電力を消費しない為一般的な液晶表示装置に比較して消費電力が少なくて済む。通常の電子ペーパは背面（裏面）に電子ペーパの書き換えを制御するための各種電子部品を搭載した制御基板を設ける構造が一般的であるが、本実施形態では、商品情報を表示する表示部に配置する部品を電子ペーパ６０のみとし、制御基板は電子ペーパ６０の背面以外の箇所に設置する構造を有する。
【００２８】
図４は図２に示す表示装置５３の解斜視図である。図５は図２に示す表示装置５３の別の角度から見た分解斜視図である。図４、図５に示すように、本実施形態に係る表示装置５３は、上側ケース５４と、電子ペーパ６０と、電子ペーパ６０に取り付けられた電子ペーパフロントマスク６０１と、電子ペーパ６０および電子ペーパフロントマスク６０１を保持するホルダ５５と、電子ペーパ６０から延びるフレキシブルプリント配線基板（ＦＰＣ）により構成されたフレキシブルキバン５６が接続された制御基板５７、下側ケース５８、及び前面パネル５９を備えて構成される。  
【００２９】
上側ケース５４は、下面が開口し上面５４１が透明な箱型の樹脂部材から成り、ホルダ収容部５４４を有する。このホルダ収容部５４４は、ホルダ抑え５４３を有する。そして、上側ケース５４は、ケース内部の上記ホルダ収容部５４４の後方部分が、制御基板５７を実装可能な空間を有するケース部５４５を形成している。
【００３０】
上側ケース５４のケース内部の側面下部には、後述する下側ケース５８のケース内部の側面下部に設けられる爪部５８２の勘合を受ける爪受け部５４６が形成される。
【００３１】
下側ケース５８は、少なくとも下面（底面）が透明な樹脂部材から成り、該底面の後方の両端部には後述するハーネス（７２ａ、７２ｂ）をそれぞれ挿通するためのハーネス挿通孔５８１ａ、５８１ｂが設けられている。また、底面から垂直に立設する側壁のうちの対向する２つの側壁には、外方向に突出した爪部５８２が設けられる。
【００３２】
制御基板５７は、上側ケース５４の底面の開口部に収まる四角形の基板から成り、その上面（上側ケース５４側）には、各商品見本５０にそれぞれ対応する照明用光源である４個のＬＥＤ光源５７１と、複数の電子ペーパ６０を駆動する駆動回路（以下、ドライバという）５７２が設けられる。また上記ＬＥＤ光源５７１は、下方に配置された各商品見本にそれぞれ対応して制御基板５７の下面（下側ケース５８側）にも4個設けられる。
【００３３】
制御基板５７の下面の前側には、４つの電子ペーパ６０それぞれから延びるフレキシブルキバン５６をそれぞれ接続するための４つのフレキシブルコネクタ５７５が設けられている。また後述するハーネス７２ａ、７２ｂを接続するためのコネクタ５７３が基板後方の左右両端部に設けられている。
【００３４】
基本単位である４つの商品見本５０にそれぞれ対応する電子ペーパ６０は、ホルダ５５の後述する各電子ペーパ保持領域に、該保持領域内をスライド可能に保持されている。
【００３５】
前面パネル５９は、上記各電子ペーパ６０の表示面にそれぞれ対応する位置に透明な表示窓５９１が形成された板状の樹脂部材であり、上側ケース５４の前面に対して接着によって取り付けられている。
【００３６】
本実施形態に係る表示装置５３は、前面パネル５９が取り付けられた上側ケース５４のホルダ収容部５４４内に、各電子ペーパ６０を保持したホルダ５５を下面の開口から上方にスライドさせることによって装着する。また、制御基板５７は、上側ケース５４の内部のケース部５４５内に略水平に装着する。これにより、上記電子ペーパ６０は、制御基板５７に対して略垂直に装着されることとなる。
【００３７】
上記のごとく、上側ケース５４に電子ペーパ６０を保持したホルダ５５と、制御基板５７を両者が略直角となるように実装することで、上側ケース５４のホルダ収容部５４４の前面に取り付けられた前面パネル５９の表示窓５９１内に電子ペーパ６０の表示面が配置される。更に、上側ケース５４の底面の開口部を下方から下側ケース５８で覆うことにより、電子ペーパ６０と制御基板５７とを一体に収容した表示装置５３を組み上げる。これにより自動販売機の外扉の解放時、たとえ雨水が表示装置５３にかかっても、ケース内に雨水が入り込まない構造となっている。
【００３８】
この表示装置５３を横方向に複数連結し、更に、該複数連結された表示装置５３を多段に配置することにより、図１において透明パネル３を正面から見た場合のような商品展示を実現できる。
【００３９】
図６は、図２に示す表示装置５３のＡ−Ａ線による断面図である。図６に示すように、上側ケース５４と下側ケース５８とは、前後両端部において、それぞれ、爪部５８２の爪受け部５４への嵌合によって一体化された表示装置５３として組み上げられている。
【００４０】
また、図６によれば、このように組み上がった表示装置５３は、その上面が商品見本載置板５３１に取り付けられる。そして、商品見本載置板５３１には、上に開口部５３２内に底面部が収まるように商品見本５０が載置される。
【００４１】
上記の如く組み上がった状態で、商品展示ユニット５３は、電子ペーパ６０を保持した状態のホルダ５５をホルダ収容部５４４内に収容している。また、上側ケース５４の上面と下側ケース５８の底面との間には、これらと平行に制御基板５７が実装されている。  
【００４２】
この構成において、制御基板５７は電子ペーパ６０の背面（裏面）以外の箇所に設けられている。また、図６の断面図上、電子ペーパ６０は、ほぼ商品見本５０の前面の下方への延長線上に当たる位置に表示面がくるように設置されている。また、図６の断面図によれば、商品見本５０を正面から見た場合（図１参照）、電子ペーパ６０の表示面が対応する商品見本５０の直下に設置される。このように、商品見本５０に対して正面から見て前後方向に隙間がないように電子ペーパ６０が配置されるため、利用者は、商品見本５０と、電子ペーパ６０に表示される商品情報との関連性を一目で把握でき、商品（商品見本５０）を迷わず選択できるようになる。
【００４３】
これにより、本実施形態において、上記制御基板５７に実装されるドライバ５７２は、商品見本展示部５の各商品見本５０に対応して設けた電子ペーパ６０に、例えば、図９（Ａ）に示すように、当該商品見本５０に対応する商品の価格情報や、準備中や売切の情報とともに、該商品の冷却、あるいは加熱の状態を示す情報、該商品の温度情報などを合わせ表示することが可能になる。
【００４４】
また、図６において、制御基板５７には、その上面と下面に、図４、図５では図示しなかった一対の反射板５７６Ａ，５７６Ａと、５７６Ｂ，５７６Ｂが、それぞれ、ＬＥＤ光源５７１Ａ、５７１Ｂを挟む位置に設けられる。
【００４５】
ここで、上側ケース５４は上面が透明であり、その上部は商品見本載置板５３１の開口部５３２となっている。これにより、ＬＥＤ光源５７１Ａ（第１のＬＥＤ光源）を発光させると、その光は、反射板５７６Ａ，５７６Ａにより反射した光も含めて商品見本５０の底部よりその内部に入射して当該商品見本５０を明るく照らす。
【００４６】
また、ＬＥＤ光源５７１Ｂ（第２のＬＥＤ光源）を発光させると、その光は、反射板５７６Ｂ，５７６Ｂにより反射した光も含めて下段の商品見本５０の上部を明るく照らすことになる。上記の通り、表示装置５３の前面の電子ペーパ６０を収容するホルダ収容部５４４の部分に制御基板５７を配置しないことによってホルダ収容部５４４（表示部の部分）の奥行き方向を薄型化するとともに、電子ペーパ６０の後方に水平に配置した制御基板５７に商品見本５０を照らすＬＥＤ５７１を配置することにより、表示部である電子ペーパ６０を対応する商品見本５０の直下に設置しても、ホルダ収容部５４４はＬＥＤ５７１が商品見本を照らす光を遮ることが無い。
なお、本実施例では制御基板５７の上面と下面の両方にＬＥＤ５７１を配置する構成としているが、表示装置５３の下に商品見本が配置されていない場合等には下面にＬＥＤを実装しない構成としてもよい。
【００４７】
ところで、本実施形態の表示装置５３は、図４、図５に示すように、下側ケース５８の電子ペーパ６０の表示面から見たケース後方の左右両端にハーネス挿通孔５８１ａ、５８１ｂが設けられる。図６の断面図においては、ハーネス挿通孔５８１ａのみが開示されている。
【００４８】
このハーネス挿通孔５８１ａは、制御基板５７のケース後方の一方の端のコネクタ５７３にハーネスコネクタ７１ａ、７１ｂを介して接続されるハーネス７２ａ、７２ｂを通す（取り出す）貫通孔である。同様に、ハーネス挿通孔５８１ｂも制御基板５７のケース後方の他方の端のコネクタ５７３にハーネスコネクタ７１ａ、７１ｂを介して接続されるハーネス７２ａ、７２ｂを通す貫通孔である。
【００４９】
ここで、ハーネス７２ａは、例えば、電源を伝送する電源ケーブルの機能を果たし、ハーネス７２ｂは通信情報を伝送する通信ケーブルとしての機能を果たす。図３に示すように、複数の商品展示ユニット５３−１，５３−２，…を連結して用いる場合、商品展示ユニット５３−１では、上記一方の端の１つ目のコネクタ５７３に接続されるハーネス７２ａにより、本体筐体１内の図示しない電源装置から電源供給を受け、もう一つのコネクタ５７３に接続されるハーネス７２ｂにより、本体筐体１内の図示しない制御装置から通信情報を受信するとともに、上記他方の端の１つ目のコネクタ５７３に接続されるハーネス７２ａにより、隣接する商品展示ユニット５３に対して電源を供給し、もう一つのコネクタ５７３に接続されるハーネス７２ｂにより、隣接する商品展示ユニット５３に対して通信情報を伝送する。
【００５０】
また、商品展示ユニット５３−１以外の各商品展示ユニット５３では、一方の端の２つのコネクタ５７３にそれぞれ接続されるハーネス７２ａ、７２ｂにより、それぞれ、隣接する商品展示ユニット５３から電源供給を受け、かつ、通信情報を受信するとともに、他方の端の２つのコネクタ５７３にそれぞれ接続されるハーネス７２ａ、７２ｂにより、それぞれ、隣接する商品展示ユニット５３に対して、電源供給と、通信情報の伝送とを行う。
【００５１】
このように、本実施形態では、商品展示ユニット５３は、下側ケース５８側の後端部にコネクタ５７３が配設される制御基板５７を実装している。そして、上記コネクタ５７３に接続されるハーネス７２ａ、７２ｂは下側ケースのハーネス挿通孔５８１ａ、５８１ｂから基板下方に引き出される。このような構成とすることによって、商品見本載置板５３１の下方の限られたスペースの中に、ＬＥＤ光源が商品見本を照らす光を遮らないように各表示装置５３同士を接続するハーネスを配線することができる。
【００５２】
次に、図７は、本発明の一実施形態の変形例に係る表示装置５３Ｂの断面図である。図７において、図６における構成要素と同一の要素には同一の符号を付している。この変形例に係る表示装置５３Ｂにおいて、上側ケース５４Ｂは、ケース後方の側面の左右（図７において紙面に直角な方向）両端に一対のハーネス挿通孔５４７を有している。同様に、下側ケース５８Ｂは、ケース後方の側面の左右（図７において紙面に直角な方向）両端に一対のハーネス挿通孔５８１ｃを有している。
【００５３】
そして、この変形例において、表示装置５３Ｂは、上側ケース５４Ｂと下側ケース５８Ｂ内に実装された制御基板５７Ｂの基板後方の左右両端に設けられた一対のコネクタ５７３Ｂに、それぞれ、フレキシブルコネクタ７１ｃ、７１ｄ（７１ｄは図示せず）を介してハーネス７２ｃ、７２ｄ（７２ｄは図示せず）を接続している。ここで、ハーネス７２ｃ、７２ｄは、上記ハーネス挿通孔５８１ｃ、５４７を通ってケース後方に引き出されている。またケース上面５４Ｂは、外扉開放時に雨がハーネス挿通孔５４７に浸入することを防ぐため中扉４に到達する位置まで伸びている。このように、本実施形態の変形例としては、図７に示すように、制御基板５７Ｂに接続されるハーネス７２ｃ、７２ｄを上側ケース５４Ｂの後方から引き出す構成としても良い。このような構成とすることによって、限られたスペースの中で、ＬＥＤ光源から商品見本を照らす光を遮らないように各表示装置５３同士を接続するハーネスを配線することができる。
【００５４】
次に、電子ペーパ６０の取付態様について説明する。
電子ペーパ６０を保持するホルダ５５や表示装置５３のケース５４、５８は樹脂部材である。これらの樹脂部材は制御基板５７と比較して膨張係数が高い。
このため、表示部が、その後ろに配置されたＬＥＤが商品見本を照らす光を遮らないようにすることを目的として表示部を薄型化するために、単に電子ペーパ６０をホルダ５５に固定すると、自動販売機の環境温度が真夏等に６０℃近くまで上昇した場合や、寒冷地においてマイナス２０℃近くまで低下した場合に、制御基板５７とホルダ５５との熱膨張係数の違いから、電子ペーパ６０の取り付け位置と制御基板５７のフレキシブルコネクタ５７５の位置にずれが生じ、フレキシブルキバン５６に負荷がかかりフレキシブルキバン５６が切断する恐れがある。
このような問題を生じさせないために、本発明の一実施例に係る表示装置５３は、電子ペーパ６０がホルダ５５に対してスライド自在に保持される構造になっている。
図８は、図４に示すホルダ５５の外観構成を示す正面図である。図８（Ａ）は規定数の電子ペーパ保持領域の全てに電子ペーパ６０を保持した状態の外観構成を示している。図８（Ｂ）は、左端の電子ペーパ保持領域にのみ電子ペーパ６０を保持した状態の外観構成を示している。
【００５５】
図８（Ｂ）に示すように、本実施形態において、ホルダ５５は、例えば、長手方向に沿って、複数の、例えば、本実施形態では４つの電子ペーパ保持領域５５０−１、５５０−２、５５０−３、５５０−４を有している。各電子ペーパ保持領域５５０−１、５５０−２、５５０−３、５５０−４は、それぞれ、第１の仕切り板５５１−１と第２の仕切り板５５１−２とによって仕切られている。上述した４つの電子ペーパ６０は、上記各電子ペーパ保持領域５５０−１、５５０−２、５５０−３、５５０−４において、それぞれ、第１の仕切り板５５１−１と第２の仕切り板５５１−２との間に保持される。
【００５６】
図９は、図８に示す電子ペーパ６０とホルダ５５の詳細構成を示す拡大図である。図９（Ａ）は電子ペーパ６０の正面の詳細構成を示し、図９（Ｂ）はホルダ５５の正面要部の詳細構成を示している。図９（Ａ）に示すように、電子ペーパ６０は、その前面に電子ペーパフロントマスク６０１が接着によって取り付けられている。電子ペーパ６０は表示部６０３と表示部６０３を有する本体部６０２とからなる。電子ペーパフロントマスク６０１には本体部６０２における商品見本５０の配列方向（ホルダ５の長手方向）の右端６０２−１と左端６０２−２に、それぞれから外方向に向けて突設されるスライド片（突出片）６０４ａ、６０４ｂ、６０５ａと、スライド片６０４ｃ、６０４ｄ、６０５ｂが形成されている。
【００５７】
一方、ホルダ５５は、電子ペーパ保持領域５５０−１を仕切る第１の仕切り板５５１−１と第２の仕切り板５５１−２に、それぞれ、電子ペーパフロントマスク６０１の右端のスライド片６０４ａ、６０４ｂ、６０５ａと、左端のスライド片６０４ｃ、６０４ｄ、６０５ｂの装着を受けるガイド（嵌合孔）５５２ａ、５５２ｂ、５５３ａと、ガイド（嵌合孔）５５２ｃ、５５２ｄ、５５３ｂが形成されている。同様に、他の電子ペーパ６０の電子ペーパフロントマスク６０１、他の電子ペーパ保持領域も、上述したスライド片、あるいはガイドが形成されている。
【００５８】
図９に示す構成において、電子ペーパフロントマスク６０１が取り付けられた電子ペーパ６０は、例えば、電子ペーパ保持領域５５０−１のガイド５５２ａ、５５２ｂ、５５３ａに対して、それぞれ、スライド片６０４ａ、６０４ｂ、６０５ａを嵌め合わせ、その状態で本体部６０２を撓らせ、スライド片６０４ｃ、６０４ｄ、６０５ｂを、それぞれ、電子ペーパ保持領域５５０−１のガイド５５２ｃ、５５２ｄ、５５３ｂに対して内側から装着できるように位置決めし、その後、本体部６０２の撓りを解くようにする。
【００５９】
これにより、電子ペーパ６０を電子ペーパ保持領域５５０−１に嵌め合わせた状態とし、電子ペーパ保持領域５５０−１に対して電子ペーパ６０をスライド自在に保持することができる。
【００６０】
前述したように、本実施形態では、商品見本５０に対応して商品情報を表示する表示部に配置する部品を電子ペーパ６０だけにし、制御基板５７を電子ペーパ６０の背面以外の箇所に配置するとともに、電子ペーパ６０をガイド５５に対してスライド自在に保持することによって、ガイド５５の熱膨張係数と制御基板５７の熱膨張係数の違いによるフレキシブルキバン５６の断線を防ぐ構成としたことで、ホルダ収容部５４４を極力薄く構成できるようになる。
【００６１】
図１０は、図８に示すホルダ５５の熱収縮及び熱膨張時の電子ペーパ６０の保持態様を示す図である。図１０（Ａ）は常温時における電子ペーパ６０の保持態様を示している。図１０（Ｂ）は高温時における電子ペーパ６０の保持態様を示している。図１０（Ｃ）は低温時における電子ペーパ６０の保持態様を示している。
【００６２】
図１０（Ａ）に示すように、常温時において、ホルダ５５は、電子ペーパ６０の本体部６０２の右端６０２−１とホルダ５５の電子ペーパ保持領域を仕切る第１の仕切り板５５１−１の左端（内側の縁部）との間の距離が距離１：１となるように電子ペーパ６０を保持している。
【００６３】
一方、図１０（Ｂ）に示すように、高温時には、ホルダ５５は、熱膨張によって矢印ｂ方向に延びる。この時に熱膨張により延びる距離はホルダ５５の長手方向の中心から外側に行くほど大きな値となる。
【００６４】
このため電子ペーパ６０の本体部６０２の右端６０２−１とホルダ５５の第１の仕切り板５５１−１の左端との間の距離が距離は近づき（距離ｌ１１となる）、本体部６０２の左端６０２−２とホルダ５５の第２の仕切り板５５１−２の右端との間の距離は離れる。（距離ｌ１２となる）かかる構成によれば電子ペーパ６０をホルダ５５に嵌め合わせた状態が維持される。
【００６５】
また、図１０（Ｃ）に示すように、低温時には、ホルダ５５は、熱収縮によって矢印ｃ方向に縮むことになる。この時に熱収縮により縮む距離はホルダ５５の長手方向の中心から外側に行くほど小さな値となる。このとき図１０（Ｃ）に示すように、ホルダ５５の熱収縮によって、電子ペーパ６０は、本体部６０２の右端６０２−１とホルダ５５の第１の仕切り板５５１−１の左端との間の距離が離れ（距離ｌ２１となり）本体部６０２の左端６０２−２とホルダ５５の第２の仕切り板５５１−２の右端との間の距離が近づく。（距離ｌ２２となる）
この場合も、電子ペーパ６０をホルダ５５に嵌め合わせた状態が維持される。
【００６６】
このように、本実施形態において、ホルダ５５は、電子ペーパ６０の商品見本５０の配列方向の両端部にそれぞれ設けられた突出片（スライド片）をそれぞれ嵌合する嵌合孔（ガイド）を有し、ホルダ５５が上記配列方向に熱収縮や熱膨張をしても、電子ペーパ６０の両端部の突出片のホルダ５５の嵌合孔に対する嵌合が外れないように電子ペーパ６０を保持する。
【００６７】
この構成によれば、ホルダ５５が熱収縮した時も、熱膨張した時にも、電子ペーパ６０がホルダ５５の膨張、あるいは収縮に追従して動かないにように保持できる。よって、ホルダ５５が、熱膨張、あるいは熱収縮した時に、電子ペーパ６０を常温時とほぼ同じ位置に保つことができ、該電子ペーパ６０に接続されるフレキシブルキバン５６が切断される危険を回避できる。
【００６８】
（一実施形態の効果）
上述したように、本実施形態の表示装置５３は、商品見本５０に対応して電子ペーパ６０を設け、電子ペーパ６０の背面以外の箇所に制御基板５７を設けたため（例えば、横に寝かせて商品見本５０の下方に配置する）、従来の表示装置よりも表示領域を大きくしても、本来電子ペーパ６０の制御基板を配置するスペース分だけ電子ペーパ６０を商品見本５０に近接して配置でき、電子ペーパ６０の表示部と商品見本５０の距離を近くすることにより商品見本５０と商品情報の関係を正確かつ容易に把握できるようになる。また表示装置と商品見本を照らすＬＥＤ光源とを一体にすることにより、自動販売機への取り付け易さ、及びメンテナンス性が向上する。
【００６９】
また、本実施形態によれば、ホルダ５５は、熱収縮した時も、熱膨張した時にも、電子ペーパ６０をホルダ５５の膨張、あるいは収縮の動きに追従しないように、ホルダ５５のガイド（嵌合孔）との間にマージンを持たせて電子ペーパ６０を保持する構造を有する。この構成によれば、電子ペーパ６０を常にほぼ同じ個所に保つことで、電子ペーパ６０に接続されるフレキシブルキバン５６の損傷を防止できるようになる。
【００７０】
以上、本発明の好ましい実施形態について詳述したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【００７１】
例えば、本実施形態では、表示装置５３は、４つの商品見本を載置し得る構成としているが、これより多い数、あるいは少ない数の商品見本５０を載置する構成であっても良い。
【符号の説明】
【００７２】
１      自動販売機の本体筐体
２      外扉
３      透明パネル
４      中扉
５      商品見本展示部
５０    商品見本
５３、５３−１、５３−２、５３Ｂ    表示装置
５３１  商品見本載置板
５３２  照明入射口
５４、５４Ｂ  上側ケース
５４１    ケース上面
５４１１  載置板取付溝
５４３    ホルダ抑え
５４４    ホルダ収容部
５４５    ケース開口部
５４６    爪受け部
５４７    ハーネス挿通孔
５５      ホルダ
５５０−１、５５０−２、５５０−３、５５０−４  電子ペーパ保持領域
５６      フレキシブルキバン
５７、５７Ｂ  制御基板
５７１、５７１Ａ、５７１Ｂ  ＬＥＤ光源
５７２    ドライバ
５７３    コネクタ
５７５    フレキシブルコネクタ
５７６Ａ、５７６Ｂ  反射板
５８、５８Ｂ  下側ケース
５８１ａ、５８１ｂ、５８１ｃ  ハーネス挿通孔
５８２  爪部
５９    前面パネル
５９１  表示窓
６０    電子ペーパ
６０１  電子ペーパフロントマスク
６０２  電子ペーパの本体部
６０２−１、６０２−２  電子ペーパ本体の端部
６０３  電子ペーパの表示部
６０４ａ、６０４ｂ、６０４ｃ、６０４ｄ、６０５ａ、６０５ｂ  スライド片（突出片）
５５１−１  第１の仕切り版
５５１−２  第２の仕切り版
５５２ａ、５５２ｂ、５５２ｃ、５５２ｄ、５５３ａ、５５３ｂ  ガイド（嵌合孔）
７１ａ、７１ｂ、７１ｃ  ハーネスコネクタ
７２ａ、７２ｂ、７２ｃ  ハーネス
２１    カード挿入／返却部
２２    紙幣挿入口
２３    釣り銭返却レバー
２４    硬貨投入口
２５    釣り銭返却口
２６    商品払出口
【図１】
2014228886.tif 000003
【図２】
2014228886.tif 000004
【図４】
2014228886.tif 000005
【図５】
2014228886.tif 000006
【図６】
2014228886.tif 000007
【図７】
2014228886.tif 000008
【図９】
2014228886.tif 000009
【図１０】
2014228886.tif 000010
【図１２】
2014228886.tif 000011
【図３】
2014228886.tif 000012
【図８】
2014228886.tif 000013
【図１１】
2014228886.tif 000014